(57)【要約】  本発明の球技用打数記録ツールは、複数の孔付きビーズ２０とビーズ２０の孔２０Ｈを貫通してビーズ２０を摺動自在に保持するコード３０とから成り、コード３０は、軸線方向に伸縮することがないが、径方向に伸縮して通常では拡径方向に付勢されるコード材料から形成されており、このコード３０は、ビーズ２０の孔２０Ｈの壁に弾性的に係止するように縮径してビーズ２０を位置保持し、これによって、プレイヤーがツールを大きく揺らすことがあってもビーズが変位することがなく、球技の打数を確実に記録し確認することができ、また組立が容易である。
2017098761.tif 000002
【特許請求の範囲】
【請求項１】
複数の孔付きビーズと前記ビーズの孔を貫通して前記ビーズを摺動自在に保持するコードとから成る球技の打数記録ツールにおいて、前記コードは、軸線方向に伸縮することがないが、径方向に伸縮して通常では拡径方向に付勢されるコード材料から形成されており、前記コードは、前記ビーズの孔の壁に弾性的に係止するように縮径して前記ビーズを位置保持するようにしたことを特徴とする球技の打数記録ツール。
【請求項２】
請求項１に記載の球技の打数記録ツールであって、前記コード材料は、軸線方向の切欠きを有する中実弾性材料、中空弾性材料、断面略Ｓ字形弾性材料のいずれかである球技の打数記録ツール。
【請求項３】
請求項１又は２に記載の球技の打数記録ツールであって、前記コードの一端に懸吊具を有し、前記懸吊具は、ズボンのベルト等の前記ツールを懸吊すべき物体に引っ掛けられるものである球技の打数記録ツール。
【請求項４】
請求項１乃至３のいずれかに記載の球技の打数記録ツールであって、前記球技がゴルフであり、前記打数記録ツールは、更に、ホール間の打数を区分けするように、前記ビーズ間のコード部分に挟み込むクリップを更に備えている球技の打数記録ツール。
【請求項５】
請求項１乃至３のいずれかに記載の球技の打数記録ツールであって、前記コードの両端を球技用の手袋の甲部に取り付けて前記手袋に保持される球技の打数記録ツール。
【請求項６】
複数の孔付きビーズと前記ビーズの孔を貫通して前記ビーズを摺動自在に保持するコードとから成る球技の打数記録ツールにおいて、複数のツールユニットを含み、前記各ツールユニットの前記コードは、軸線方向に伸縮することがないが、径方向に伸縮して通常では拡径方向に付勢されるコード材料から形成されており、前記コードは、前記ビーズの孔の壁に弾性的に係止するように縮径して前記ビーズを位置保持するようにしたことを特徴とする球技の打数記録ツール。
【請求項７】
請求項６に記載の球技の打数記録ツールであって、横方向に延びるホルダーを更に備え、前記複数のツールユニットは、前記ホルダーに間隔をあけて懸吊されている球技の打数記録ツール。
【発明の詳細な説明】
【技術分野】
【０００１】
本発明は、例えば、ゴルフ、テニス、野球の如き球技の打数を記録するツールに関し、例えば、ゴルフのプレー中に各ホールでの打数を記録するのに好適な打数記録ツールに関するものである。
【背景技術】
【０００２】
ゴルフ、テニスの如き打数によって球技を競うスポーツにおいて、その打数を記録することにより打数を常に確実に確認することができる種々の打数記録ツールが提案されている（例えば、特許文献１参照）。【０００３】
特許文献１（特開平９−３１３６６１号公報）に開示された打数記録ツール（カウンター）は、ゴルフ手袋の甲側の表面で親指を除く他の指に対応する甲表面部分を横切って取り付けられた軸線方向に伸縮性を有するコード（紐）３とこのコード３が緩く貫通する孔を有してコード３に摺動自在に保持された複数のビーズ（カウンター玉）４とから成っている。この打数記録ツールは、各ホールにおけるプレーのスタート前に、ビーズ４を手袋の一方側、例えば右打ちのプレイヤーでは、好ましくは、左側に並べて寄せておき、ゴルフの一打毎に、最も右にあるビーズをコード３に沿ってその右端まで移動し、この操作を順次繰り返して右側に寄せられたビーズの数から打数を確認するようにしている。【０００４】
この特許文献１の打数記録ツールは、プレー中ビーズ４がコード３に沿って変位することがないように、コード３の弾性(軸線方向の伸縮性)を利用してコード３がビーズを手袋の甲に押し付けるように機能している。【０００５】
この構造の打数記録ツールは、コードが手袋を介してプレイヤーの甲に押し付ける力を利用してビーズをコードの所定位置に保持しているので、プレイヤーによるゴルフクラブの強振等によってツールに大きな振れを生ずると、コードに遠心力が働いてビーズがコード上を変位することがあるため、打数の記録を誤り記録を正確に確認することができない虞がある。【０００６】
また、この構造の打数記録ツールは、コードがビーズを押し付けるための手の甲である硬い受け面を必要とするので、手袋とは分離して硬い受け面なしにツール単体で使用することができない欠点があった。【０００７】
他の従来技術による打数記録ツールは、ライト株式会社（以下ライト社と称する）がビーズカウンターという商品名で製造販売しているツールであり、このカウンター１は、図９（Ａ）（Ａ’）（Ｂ）に示すように、複数の孔付きビーズ４とこれらのビーズ４の各孔４Ｈを反対方向から貫通して撚り合わせるようにして各ビーズ４を隣り合う撚りの交差部分の間で保持する撚り線コード３とから成っている。このツールは、例えば、プレイヤーのズボンのバンド等に懸吊して携帯することができる。【０００８】
このライト社製の打数記録ツールも、打数毎に、ビーズ４を撚り線コードに沿って移動するが、この際、ビーズ４は、図９（Ａ’）に示すように、その孔４Ｈを反対方向に貫通する撚り線部分３Ｔ、３Ｔ’をビーズ４の移動方向に変位してその隣のビーズ４Ｊとの間のコード部分を直線状部分３Ｓとするように構成されている。【０００９】
ライト社製の打数記録ツール１は、各ビーズ４がコード３の反対方向に貫通する撚りの交差部分３Ｔ、３Ｔ’によってコード３の軸線方向に拘束されるので、競技中プレイヤーの体の回転等によってツールに大きな振れを主ずることがあってもビーズ４が打数記録位置に確実に保持され、打数の記録を乱したり、確認を誤ったりすることがない。【００１０】
しかし、このライト社製のツールは、ビーズ４の孔４Ｈに撚り線を反対方向から貫通してコードに保持するので、組み立て作業が煩雑で面倒であり、製造コストが高価となる欠点があった。
【先行技術文献】
【特許文献】
【００１１】
【特許文献１】特開平９―３１６６１号公報
【発明の開示】
【発明が解決しようとする課題】
【００１２】
本発明が解決しようとする課題は、プレイヤーがツールを大きく揺らすことがあってもビーズが変位することがなく、従って球技の打数を確実に記録し確認することができ、また手袋などから独立して使用してプレイヤーの手の甲等の硬い受け面がなくても確実に打数を記録することができる球技の打数記録ツールを提供することにある。
【課題を解決するための手段】
【００１３】
本発明の課題解決手段は、複数の孔付きビーズと前記ビーズの孔を貫通して前記ビーズを摺動自在に保持するコードとから成る球技の打数記録ツールにおいて、前記コードは、軸線方向に伸縮することがないが、径方向に伸縮して通常では拡径方向に付勢されるコード材料から形成されており、前記コードは、前記ビーズの孔の壁に弾性的に係止するように縮径して前記ビーズを位置保持するようにしたことを特徴とする球技の打数記録ツールを提供することにある。【００１４】
本発明の課題解決手段において、前記コード材料は、軸線方向の切欠きを有する中実弾性材料、中空弾性材料、断面略Ｓ字形弾性材料等の任意の材料とすることができ、中実又は中空弾性材料は、例えば、モノフィラメント束又は形状記憶合金とすることができ、あるいは平織りの帯状体をＣ字形又はＵ字形に折り曲げて形成することができる。【００１５】
本発明の課題解決手段において、前記ツールは、前記コードの一端に懸吊具を有し、前記懸吊具は、ズボンのベルト等の前記ツールを懸吊すべき物体に引っ掛けられるものとすることができる。【００１６】
本発明の課題解決手段において、前記ツールは、前記コードの両端を球技用の手袋の甲部に取り付けて前記手袋に保持される形態とすることができる。【００１７】
本発明の課題解決手段において、前記コードは、その両端に相互に結合することができる結合具を含んでいて前記コードをリング状にすることができるようにしてもよい。【００１８】
本発明の他の課題解決手段は、複数の孔付きビーズと前記ビーズの孔を貫通して前記ビーズを摺動自在に保持するコードとから成る球技の打数記録ツールにおいて、複数のツールユニットを含み、前記各ツールユニットの前記コードは、軸線方向に伸縮することがないが、径方向に伸縮して通常では拡径方向に付勢されるコード材料から形成されており、前記コードは、前記ビーズの孔の壁に弾性的に係止するように縮径して前記ビーズを位置保持するようにしたことを特徴とする球技の打数記録ツールを提供することにある。【００１９】
本発明の他の課題解決手段において、横方向に延びるホルダーを備え、前記複数のツールユニットは、前記ホルダーに間隔をあけて懸吊されている形態とすることができる。【００２０】
本発明の他の課題解決手段において、前記複数のツールユニットは、スペーサを介して相互に縦方向に連続している形態とすることができる。
【発明の効果】
【００２１】
本発明の打数記録ツールによれば、コードに沿って移動するビーズは、コードの弾性を利用してコードに係止されて位置保持されるので、このツールを携帯しているプレイヤーが競技中に体を回転しツールに強い揺れが付与されてもビーズがコードに沿って不本意に変位することがなく、球技の打数を確実に記録して確認することができる。【００２２】
また、本発明のツールは、ビーズの孔にコードを縮径しながら貫通するだけで組み立てることができるので、組み立て作業が容易で打数記録ツールを安価に提供することができる。
【図面の簡単な説明】
【００２３】
【図１】本発明の一つの実施形態による球技の打数記録ツールを示し、同図（Ａ）は、その正面図、同図（Ｂ）は、その縦側断面図である。
【図２】図１の球技の打数記録ツールの変形例を示し、同図（Ａ）は、その正面図、同図（Ｂ）は、その縦断面図である。
【図３】本発明に用いられるコードを示し、同図（Ａ）乃至（Ｅ）は、５つの異なる例の横断面図である。
【図４】本発明の他の異なる実施形態による球技の打数記録ツールを示し、同図（Ａ）は、ビーズをクリアにした状態の正面図、同図（Ｂ）は、打数の一記録例を示す正面図である。
【図５】図４の球技の打数記録ツールの変形例を示し、同図（Ａ）は、ビーズをクリアにした状態の正面図、同図（Ｂ）は、打数の一記録例を示す正面図である。
【図６】図５の形態による球技の打数記録ツールの異なる形態の正面図である。
【図７】図１の形態による球技の打数記録ツールを手袋に取り付けた状態の正面図である。
【図８】本発明の更に異なる実施形態とその使用状態の正面図であり、同図（Ａ）は、１ホール目を５打で終了した状態、同図（Ｂ）は、１ホール目を７打で終了し、２ホール目を５打で終了した状態、同図（Ｃ）は、最終ホールをホールアウトしたトータル打数を表す状態を示す。
【図９】従来技術によるライト社製のビーズカウンターを示し、同図（Ａ）は、その正面図、同図（Ａ’）は、使用状態の正面図、同図（Ｂ）は、同図（Ａ）のツールの縦断面図である。
【発明を実施するための形態】
【００２４】
本発明の実施の形態を図面を参照して詳細に述べると、図１は、本発明の基本的な実施の形態による球技の打数記録ツール１０を示し、この打数記録ツール１０は、それぞれ孔２０Ｈ(図1(Ｂ)参照)を有する複数のビーズ２０と、これらのビーズ２０の孔２０Ｈを貫通してビーズ２０を摺動自在に保持するコード３０とから成っている。
【００２５】
図示の形態では、ツール１０は、コード３０の一端に取り付けられたばね蓋４０Ｓ付の鉤４０Ｆから成る懸吊具４０と、コード３０の他端に取り付けられてビーズ２０を抜け止めする適宜の抜け止め具５０を有する。
【００２６】
ビーズ２０の個数は、球技の最大数の打数に相応する数であり、例えば、ゴルフトーナメントのローカルルールで定められている最大打数、即ち通常では、規定打数（パー）が５の場合の三倍である１５個とすることができるが、規定打数が６の場合もあるので、１８個とすることもできる。しかし、三倍打数は、通常、ギブアップの場合であり、従って、これはカウントするまでもないので、例えば、１０個程度としてもよい。
【００２７】
ビーズ２０は、プラスチック、硬質ゴムその他の任意の材料から成形することができる。また、このビーズは、その全て又は一部が同じ色であってもよいし、グループ毎に異なる色であってもよい（図８参照）。また、このビーズの外形は、上下に丸みを付しているが、上下が直線的な円筒形であってもよい。
【００２８】
コード３０は、軸線方向に伸縮することはないが、径方向に伸縮して通常では拡径方向に付勢されるコード材料３０Ｍから形成されている。このコード３０は、ビーズ２０の孔２０Ｈの壁に弾性的に係止するように縮径してビーズ２０をコード３０の所定位置に保持するようにしている。
【００２９】
図１の実施の形態では、コード材料３０Ｍは、図３（Ａ）に示すように、平織布の帯状長尺体をＵ字形又はＣ字形に折り曲げて形成された弾性コード材料３０ＭＴから成っており、コード材料３０Ｍは、長尺体が帯状に戻ろうとする広がり方向の付勢力によって帯の両端縁間の開口が開閉するように径方向に伸縮して弾性が付与されている。この弾性材料３０ＭＴは、平織布の帯ほかに、形状記憶合金の帯であってもよい。
【００３０】
次に、図１の打数記録ツールの使用方法を説明すると、このツール１０は、その懸吊具４０でプレイヤーのベルト等に懸吊して携帯される。各ホールでプレーをスタートとする前に、前のホールでのカウントをクリアするために、全てのビーズ２０を図１（Ａ）（Ｂ）のコード３０の上端側（懸吊具４０側）に寄せておく。次に、当該ホールのプレーの１打毎に、最下端にあるビーズ２０を、図１（Ａ）の矢印Ａで示すように、抜け止め具５０に向けて手で移動する。既に述べたように、コード３０は、その径方向の弾性によって各ビーズ２０の孔２０Ｈの壁に係止しており、従って各ビーズ２０は、コード３０に位置保持され、プレイヤーがクラブを振る等の動作でツール１０に振動が付与されても、打数の記録用のビーズ２０が変位することがない。また、１打毎に、ビーズ２０を移動する操作は、ビーズ２０がコード３０を強制的に縮径しながら円滑に行うことができる。
【００３１】
このようにして、当該ホールでホールアウトした際に、抜け止め具５０側のビーズ２０の個数から当該ホールの打数を記録し、確認することができる。当該ホールで「ＯＢ」「池への打ち込み」で打ち直すごとに２つのビーズを抜け止め具５０側に移動して打数を記録することができる。
【００３２】
なお、上記の使用方法では、すべてのビーズ２０を懸吊具４０側に寄せておいて、一打毎に抜け止め具５０側に移動して打数を記録するので、ツール１０を懸吊具４０を介して、例えば、プレーヤーのベルトに懸吊している場合、ビーズ２０を指下に引っ張るだけでビーズを記録する側（抜け止め具５０側）に偏倚することができる。しかし、これとは逆に、ビーズ２０をすべて抜け止め具５０側に寄せておいて、一打毎に、懸吊具４０側に寄せて打数を記録することもできる。但し、この場合には、ビーズ２０がコード３０に沿って変位する際、抜け止め具５０側のコード端部を保持する必要があって記録操作が面倒となるので、好ましくは、下向きに変位して打数を記録するのが好ましい。
【００３３】
本発明の変形例が図２に示されており、この変形例では、コード３０は、図３（Ｂ）に示すように、モノフィラメント中空繊維の束の弾性コード材料３０ＭＦから成っている。この変形例でも、コード３０は、コード材料３０ＭＦの中空繊維束の弾性によってビーズ２０をコード３０上に位置保持することができ、またビーズ２０の移動時にはビーズ２０の孔２０Ｈの壁によって縮径されながらビーズ２０の移動を円滑に行うことができる。
【００３４】
コード３０は、図１、図２の形態の他に、図３（Ｃ）に示すように、ゴム、プラスチックの如き中空パイプの弾性コード材料３０ＭＲから形成してもよいし、図３（Ｄ）に示すように、ゴム製、プラスチック製のＳ字形のコード弾性材料３０ＭＳから形成してもよいし、図３（Ｅ）に示すように、ゴム製、プラスチック製の切欠き中空パイプのコード弾性材料３０ＭＰから形成してもよい。また、コード３０は、径方向に縮径できる弾性を有すれば、図３（Ａ）乃至（Ｅ）の形態以外の任意の形態とすることができる。
【００３５】
図１又は図２の実施の形態の打数記録ツール１０は、懸吊具４０及び抜け止め具５０に代えて、図７に示すように、コード３０の両端をゴルフ用グローブの如き球技用手袋６０の甲部に取り付けて手袋６０に保持される形態とすることができる。この場合、コード３０の両端は、グローブの甲部面に縫い付け、貼り付け等が可能な適宜の取付け具６２を有するのが好ましい。
【００３６】
本発明の他の実施の形態が図４及び図５に示されており、これらの実施の形態では、打数記録ツール１０は、複数のツールユニット１０Ｕ１乃至１０Ｕ４（図４）又は１０Ｕ１乃至１０Ｕ３（図５）から成っている。
【００３７】
図４の実施の形態では、複数のツールユニット１０Ｕ１乃至１０Ｕ４は、横方向に延びるホルダー７０に並列して相互に間隔をあけて懸吊されている。このホルダー７０は、中央に懸吊部７０Ｓを有し、その右側にツールユニット１０Ｕ１、１０Ｕ２のコード３０の上端リング状懸吊具４０がカラー７０Ｒを介して間隔をあけて嵌め込まれており、同様にして左側にツールユニット１０Ｕ３、１０Ｕ４のコード３０の上端リング状懸吊具４０がカラー７０Ｌを介して間隔をあけて嵌め込まれている。ツールユニット１０Ｕ２と１０Ｕ３とは、懸吊部７０Ｓによって間隔をあけられている。図４において、符号７０Ｃは、ホルダー７０の両端に取付けられてツールユニット１０Ｕを抜け止めする抜け止め具である。
【００３８】
各ツールユニット１０Ｕのコード３０は、図１及び図２のツールと同様に、軸線方向に伸縮することがないが、径方向に伸縮して通常では拡径方向に付勢されるコード材料３０Ｍから形成されており、コード３０は、ビーズ２０の孔２０Ｈの壁に弾性的に係止するように縮径してビーズをコード３０上の所定の位置に保持するようにしている。
【００３９】
図５の実施の形態では、複数のツールユニット１０Ｕ１乃至１０Ｕ３は、共通のコード３０を有し、これらのツールユニット１０Ｕ１乃至１０Ｕ３は、固定スペーサ８０Ｕ、８０Ｍ、８０Ｌを介して相互に縦方向に連続している。
【００４０】
図４の実施の形態では、各ツールユニット１０Ｕ１乃至１０Ｕ４は、右から第１のストローク、第２のストローク、パター及びＯＢの打数を記録するのに使用され、それぞれのコード３０の懸吊具４０に「ＳＴ」、「ＰＴ」、「ＯＢ」と表示されており、グリーンに至るまでの打数は、「ＳＴ」のビーズの移動(変位)で表示し、グリーン上での打数は、「ＰＴ」のビーズの移動(変位)で表示し、ＯＢがあった時には、「ＯＢ」のビーズの移動(変位)で打数を表示する。その他の使用方法は、クリア状態ではビーズ２０が上方に寄せられることを除いて図１及び図２の実施の形態と同じである。一例として、図４（Ｂ）は、グリーンに達するまでは４打でＯＢが１つ(２打)、パター３打の合計９打であることを示している。
【００４１】
図５の実施の形態でも、グリーンに達するまでは、「ＳＴ」と表示された固定スペーサ８０Ｕに向けてビーズ２０を１打毎に移動し(変位し)、グリーン上では「ＰＴ」と表示された固定スペーサ８０Ｍに向けてパターの１打毎にビーズ２０を移動し(変位し)、ＯＢがあった時は、「ＯＢ」と表示された固定スペーサ８０Ｌに向けて２つのビーズ２０を移動する(変位する)。図５（Ｂ）は、グリーンに達するまでは４打で、ＯＢが１つで２打、グリーン上ではパターが３打の合計９打であることを示している。
【００４２】
また、図５の実施の形態の打数記録ツール１０は、懸吊具４０及び抜け止め具５０に代えて、図６に示すように、コード３０は、その両端に磁気的又は機械的に相互に結合することができる結合具９０Ｌ、９０Ｒを含んでいてこの結合具９０Ｌ、９０Ｒによってコード３０をリング状にすることができる。このようにすると、ツール１０は、手首や首にかけてブレスレット、ネックレスとして使用することができる。もちろん、図１及び図２に示すように、１つのツールユニットのみを有するツールも、図６に示すように、リング状にして使用することができるが、この場合、首にかけるコード部分は、ビーズ２０の移動の範囲外であって打数の記録には関係がなく、単に首掛け機能を有するに過ぎない。
【００４３】
本発明の更に他の実施の形態が図８に示されており、この実施の形態では、長いコード３０とこのコード３０が貫通する多数のビーズ２０とから成り、コード３０の両端を磁気的又は機械的な適宜の結合具９０Ｌ、９０Ｒによって環状に結合することができ、また多数のビーズ２０は、複数、例えば、５つのビーズ毎に色分けされた複数のビーズ群２０Ｇから成っている。例えば、図示のように、５つのビーズ２０毎に、「赤」「白」「青」「黄」に着色されている。このようにすると、ホールアウト後の打数の計算が容易となる。
【００４４】
図８（Ａ）では、一打毎にビーズ２０を結合具９０Ｒ側に時計方向に移動し（図８（Ａ）ではビーズ２０が移動していないが、一打毎に、矢印Ａで示すようにビーズを移動する。）、７打でホールアウトしたとすると、７つ目のビーズ２０Ｓと次のビーズ２０Ｎとの間のコード３０部分にクリップ１００Ａを挟み込んで、このクリップ１００Ａより時計方向の下流にあるビーズ２０の数が最初のホールの打数となる。
【００４５】
この実施の形態では、クリップ１００Ａによって前のホールの打数が記録に残り、次のホールに進むに際してクリップ１００Ａより反時計方向の位置にあるビーズ２０が次のホールの打数を記録する役割を有するので、図１、図２の実施の形態のように、ビーズ２０をいずれかの側に戻すように移動してビーズをクリアする必要がなく、使用性が向上する。
【００４６】
図８（Ｂ）は、図８（Ａ）に示す最初のホールが７打であることを表示するビーズ２０を纏めてクリップ１００Ａとともに結合具９０Ｒに寄せて、次のホールの打数を記録する例を示している。この第２ホールでの打数が５打であるとすると、この５打目に相応するビーズ２０とそれより反時計方向側にある隣のビーズ２０との間のコード部分に第２のクリップ１００Ｂを挟み込み、第１のクリップ１００Ａを外し、第２のホールの打数に相応するビーズ２０を第２のクリップ１００Ｂとともに第１のホールの最後のビーズ２０Ｅに隣接するように第２のホールの５打に相応する５つのビーズ２０を結合具９０Ｒ側に時計方向に移動する。
【００４７】
図８（Ｃ）は、その結果を示し、第２ホールを終えて打数が１２であることが示されている。以後、順次、同様の操作を繰り返して、第９番目のホールをホールアウトした後、ビーズの合計から合計打数が解る。なお、図８（Ｃ）では、第１のクリップ１００Ａを引き抜いたが、第１のクリップ１００Ａを挟み込んだまま、第２ホールの打数に相応するビーズ２０の上流側に第２のクリップ１００Ｂを挟み込んで、以後、同様に操作してもよい。各ホールに相応するすべてのクリップを挟み込んだままとすると、すべてのプレー又はハーフのプレーが終了した後、スコアカードに各ホール毎の打数を書き込むことができる。
【００４８】
なお、上記実施の形態では、打数記録ツールは、ゴルフの打数を記録する場合を例にして述べたが、テニスその他の球技にも同様にして適用することができる。
【産業上の利用可能性】
【００４９】
本発明によれば、打数を表示するビーズは、コードの弾性を利用してコードに係止されて位置保持されるので、このツールを携帯しているプレイヤーの体の回転などによってツールに強い揺れが付与されてもビーズがコードに沿って変位することがなく、球技の打数を確実に記録して確認することができ、またビーズの孔にコードを縮径しながら貫通するだけで組み立てることができるので、組み立て作業が容易で打数記録ツールを安価に提供することができ、高い産業上の利用性を有する。
【符号の説明】
【００５０】
１０  打数記録ツール
１０Ｕ１乃至１０Ｕ４  ツールユニット
２０  ビーズ
２０Ｈ  孔
３０  コード
３０Ｍ、３０ＭＴ、３０ＭＦ、３０ＭＲ、３０ＭＳ、３０ＭＰ  コード材料
３０ＭＣ  切欠き
４０  懸吊具
５０  抜け止め具
６０  手袋
６２  取付け具
７０  ホルダー
７０Ｓ  懸吊部
７０Ｒ、７０Ｌ  カラー
７０Ｃ  抜け止め具
８０Ｕ、８０Ｍ、８０Ｌ  固定スペーサ
９０Ｒ、９０Ｌ  結合具
１００Ａ、１００Ｂ  クリップ
【図１】
2017098761.tif 000003
【図２】
2017098761.tif 000004
【図３】
2017098761.tif 000005
【図４】
2017098761.tif 000006
【図５】
2017098761.tif 000007
【図６】
2017098761.tif 000008
【図７】
2017098761.tif 000009
【図８】
2017098761.tif 000010
【図９】
2017098761.tif 000011
【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
複数の孔付きビーズと前記ビーズの孔を貫通して前記ビーズを摺動自在に保持するコードとから成る球技の打数記録ツールにおいて、前記コードは、軸線方向に伸縮することがないが、径方向に伸縮して通常では拡径方向に付勢されるコード材料から形成されており、前記コードは、前記ビーズの孔の壁に弾性的に係止するように縮径して前記ビーズを位置保持するようにし、且つ、前記コードは、前記ビーズを有しない部分で拡径していることを特徴とする球技の打数記録ツール。
【請求項２】
請求項１に記載の球技の打数記録ツールであって、前記コード材料は、軸線方向の切欠きを有する中実弾性材料、中空弾性材料、断面略Ｓ字形弾性材料のいずれかである球技の打数記録ツール。
【請求項３】
請求項１又は２に記載の球技の打数記録ツールであって、前記コードの一端に懸吊具を有し、前記懸吊具は、ズボンのベルト等の前記ツールを懸吊すべき物体に引っ掛けられるものである球技の打数記録ツール。
【請求項４】
請求項１乃至３のいずれかに記載の球技の打数記録ツールであって、前記球技がゴルフであり、前記打数記録ツールは、更に、ホール間の打数を区分けするように、前記ビーズ間のコード部分に挟み込むクリップを更に備えている球技の打数記録ツール。
【請求項５】
請求項１乃至３のいずれかに記載の球技の打数記録ツールであって、前記コードの両端を球技用の手袋の甲部に取り付けて前記手袋に保持される球技の打数記録ツール。
【請求項６】
複数の孔付きビーズと前記ビーズの孔を貫通して前記ビーズを摺動自在に保持するコードとから成る球技の打数記録ツールにおいて、複数のツールユニットを含み、前記各ツールユニットの前記コードは、軸線方向に伸縮することがないが、径方向に伸縮して通常では拡径方向に付勢されるコード材料から形成されており、前記コードは、前記ビーズの孔の壁に弾性的に係止するように縮径して前記ビーズを位置保持するようにし、且つ、前記コードは、前記ビーズを有しない部分で拡径していることを特徴とする球技の打数記録ツール。
【請求項７】
請求項６に記載の球技の打数記録ツールであって、横方向に延びるホルダーを更に備え、前記複数のツールユニットは、前記ホルダーに間隔をあけて懸吊されている球技の打数記録ツール。
【手続補正書】
【提出日】平成29年8月1日(2017.8.1)
【手続補正１】
【補正対象書類名】明細書
【補正対象項目名】全文
【補正方法】変更
【補正の内容】
【発明の詳細な説明】
【技術分野】
【０００１】
本発明は、例えば、ゴルフ、テニス、野球の如き球技の打数を記録するツールに関し、例えば、ゴルフのプレー中に各ホールでの打数を記録するのに好適な打数記録ツールに関するものである。
【背景技術】
【０００２】
ゴルフ、テニスの如き打数によって球技を競うスポーツにおいて、その打数を記録することにより打数を常に確実に確認することができる種々の打数記録ツールが提案されている（例えば、特許文献１参照）。
【０００３】
特許文献１（特開平９−３１３６６１号公報）に開示された打数記録ツール（カウンター）は、ゴルフ手袋の甲側の表面で親指を除く他の指に対応する甲表面部分を横切って取り付けられた軸線方向に伸縮性を有するコード（紐）３とこのコード３が緩く貫通する孔を有してコード３に摺動自在に保持された複数のビーズ（カウンター玉）４とから成っている。この打数記録ツールは、各ホールにおけるプレーのスタート前に、ビーズ４を手袋の一方側、例えば右打ちのプレイヤーでは、好ましくは、左側に並べて寄せておき、ゴルフの一打毎に、最も右にあるビーズをコード３に沿ってその右端まで移動し、この操作を順次繰り返して右側に寄せられたビーズの数から打数を確認するようにしている。
【０００４】
この特許文献１の打数記録ツールは、プレー中ビーズ４がコード３に沿って変位することがないように、コード３の弾性(軸線方向の伸縮性)を利用してコード３がビーズを手袋の甲に押し付けるように機能している。
【０００５】
しかし、この構造の打数記録ツールは、コードが手袋を介してプレイヤーの甲に押し付ける力を利用してビーズをコードの所定位置に保持しているので、プレイヤーによるゴルフクラブの強振等によってツールに大きな振れを生ずると、コードに遠心力が働いてビーズがコード上を変位することがあるため、打数の記録を誤り記録を正確に確認することができない虞がある。
【０００６】
また、この構造の打数記録ツールは、コードがビーズを押し付けるための手の甲である硬い受け面を必要とするので、手袋とは分離して硬い受け面なしにツール単体で使用することができない欠点があった。
【０００７】
他の従来技術による打数記録ツールは、ライト株式会社（以下ライト社と称する）がビーズカウンターという商品名で製造販売しているツールであり、このカウンター１は、図９（Ａ）（Ａ’）（Ｂ）に示すように、複数の孔付きビーズ４とこれらのビーズ４の各孔４Ｈを反対方向から貫通して撚り合わせるようにして各ビーズ４を隣り合う撚りの交差部分の間で保持する撚り線コード３とから成っている。このツールは、例えば、プレイヤーのズボンのバンド等に懸吊して携帯することができる。
【０００８】
このライト社製の打数記録ツールも、打数毎に、ビーズ４を撚り線コードに沿って移動するが、この際、ビーズ４は、図９（Ａ’）に示すように、その孔４Ｈを反対方向に貫通する撚り線部分３Ｔ、３Ｔ’をビーズ４の移動方向に変位してその隣のビーズ４Ｊとの間のコード部分を直線状部分３Ｓとするように構成されている。
【０００９】
ライト社製の打数記録ツール１は、各ビーズ４がコード３の反対方向に貫通する撚りの交差部分３Ｔ、３Ｔ’によってコード３の軸線方向に拘束されるので、競技中プレイヤーの体の回転等によってツールに大きな振れを主ずることがあってもビーズ４が打数記録位置に確実に保持され、打数の記録を乱したり、確認を誤ったりすることがない。
【００１０】
しかし、ライト社製のツールは、ビーズ４の孔４Ｈに撚り線を反対方向から貫通してコードに保持するので、組み立て作業が煩雑で面倒であり、製造コストが高価となる欠点があった。
【先行技術文献】
【特許文献】
【００１１】
【特許文献１】特開平９―３１６６１号公報
【発明の開示】
【発明が解決しようとする課題】
【００１２】
本発明が解決しようとする課題は、プレイヤーがツールを大きく揺らすことがあってもビーズが変位することがなく、従って球技の打数を確実に記録し確認することができ、また手袋などから独立して使用してプレイヤーの甲等の硬い受け面がなくても確実に打数を記録することができる球技の打数記録ツールを提供することにある。
【課題を解決するための手段】
【００１３】
本発明の課題解決手段は、複数の孔付きビーズと前記ビーズの孔を貫通して前記ビーズを摺動自在に保持するコードとから成る球技の打数記録ツールにおいて、前記コードは、軸線方向に伸縮することがないが、径方向に伸縮して通常では拡径方向に付勢されるコード材料から形成されており、前記コードは、前記ビーズの孔の壁に弾性的に係止するように縮径して前記ビーズを位置保持するようにし、且つ、前記コードは、前記ビーズを有しない部分で拡径していることを特徴とする球技の打数記録ツールを提供することにある。
【００１４】
本発明の課題解決手段において、前記コード材料は、軸線方向の切欠きを有する中実弾性材料、中空弾性材料、断面略Ｓ字形弾性材料等の任意の材料とすることができ、中実又は中空弾性材料は、例えば、モノフィラメント束又は形状記憶合金とすることができ、あるいは平織りの帯状体をＣ字形又はＵ字形に折り曲げて形成することができる。
【００１５】
本発明の課題解決手段において、前記ツールは、前記コードの一端に懸吊具を有し、前記懸吊具は、ズボンのベルト等の前記ツールを懸吊すべき物体に引っ掛けられるものとすることができる。
【００１６】
本発明の課題解決手段において、前記ツールは、前記コードの両端を球技用の手袋の甲部に取り付けて前記手袋に保持される形態とすることができる。
【００１７】
本発明の課題解決手段において、前記コードは、その両端に相互に結合することができる結合具を含んでいて前記コードをリング状にすることができるようにしてもよい。
【００１８】
本発明の他の課題解決手段は、複数の孔付きビーズと前記ビーズの孔を貫通して前記ビーズを摺動自在に保持するコードとから成る球技の打数記録ツールにおいて、複数のツールユニットを含み、前記各ツールユニットの前記コードは、軸線方向に伸縮することがないが、径方向に伸縮して通常では拡径方向に付勢されるコード材料から形成されており、前記コードは、前記ビーズの孔の壁に弾性的に係止するように縮径して前記ビーズを位置保持するようにし、且つ、前記コードは、前記ビーズを有しない部分で拡径していることを特徴とする球技の打数記録ツールを提供することにある。
【００１９】
本発明の他の課題解決手段において、横方向に延びるホルダーを備え、前記複数のツールユニットは、前記ホルダーに間隔をあけて懸吊されている形態とすることができる。
【００２０】
本発明の他の課題解決手段において、前記複数のツールユニットは、スペーサを介して相互に縦方向に連続している形態とすることができる。
【発明の効果】
【００２１】
本発明の打数記録ツールによれば、コードに沿って移動するビーズは、コードの弾性を利用してコードに係止されて位置保持され、且つコードは、ビーズを有しない部分で拡径しているので、このツールを携帯しているプレイヤーが競技中に体を回転しツールに強い揺れが付与されてもビーズとコードとの間で発生する摩擦抵抗とビーズを有しない部分でのコードの拡径部分のストッパー作用とによってビーズがコードに沿って不本意に変位することがなく、球技の打数を確実に記録して確認することができる。
【００２２】
また、本発明のツールは、ビーズの孔にコードを縮径しながら貫通するだけで組み立てることができるので、組み立て作業が容易で打数記録ツールを安価に提供することができる。
【図面の簡単な説明】
【００２３】
【図１】本発明の一つの実施形態による球技の打数記録ツールを示し、同図（Ａ）は、その正面図、同図（Ｂ）は、その縦側断面図である。
【図２】図１の球技の打数記録ツールの変形例を示し、同図（Ａ）は、その正面図、同図（Ｂ）は、その縦断面図である。
【図３】本発明に用いられるコードを示し、同図（Ａ）乃至（Ｅ）は、５つの異なる例の横断面図である。
【図４】本発明の他の異なる実施形態による球技の打数記録ツールを示し、同図（Ａ）は、ビーズをクリアにした状態の正面図、同図（Ｂ）は、打数の一記録例を示す正面図である。
【図５】図４の球技の打数記録ツールの変形例を示し、同図（Ａ）は、ビーズをクリアにした状態の正面図、同図（Ｂ）は、打数の一記録例を示す正面図である。
【図６】図５の形態による球技の打数記録ツールの異なる形態の正面図である。
【図７】図１の形態による球技の打数記録ツールを手袋に取り付けた状態の正面図である。
【図８】本発明の更に異なる実施形態とその使用状態の正面図であり、同図（Ａ）は、１ホール目を５打で終了した状態、同図（Ｂ）は、１ホール目を７打で終了し、２ホール目を５打で終了した状態、同図（Ｃ）は、最終ホールをホールアウトしたトータル打数を表す状態を示す。
【図９】従来技術によるライト社製のビーズカウンターを示し、同図（Ａ）は、その正面図、同図（Ａ’）は、使用状態の正面図、同図（Ｂ）は、同図（Ａ）のツールの縦断面図である。
【発明を実施するための形態】
【００２４】
本発明の実施の形態を図面を参照して詳細に述べると、図１は、本発明の基本的な実施の形態による球技の打数記録ツール１０を示し、この打数記録ツール１０は、それぞれ孔２０Ｈ(図1(Ｂ)参照)を有する複数のビーズ２０と、これらのビーズ２０の孔２０Ｈを貫通してビーズ２０を摺動自在に保持するコード３０とから成っている。
【００２５】
図示の形態では、ツール１０は、コード３０の一端に取り付けられたばね蓋４０Ｓ付の鉤４０Ｆから成る懸吊具４０と、コード３０の他端に取り付けられてビーズ２０を抜け止めする適宜の抜け止め具５０を有する。
【００２６】
ビーズ２０の個数は、球技の最大数の打数に相応する数であり、例えば、ゴルフトーナメントのローカルルールで定められている最大打数、即ち通常では、規定打数（パー）が５の場合の三倍である１５個とすることができるが、規定打数が６の場合もあるので、１８個とすることもできる。しかし、三倍打数は、通常、ギブアップの場合であり、従って、これはカウントするまでもないので、例えば、１０個程度としてもよい。
【００２７】
ビーズ２０は、プラスチック、硬質ゴムその他の任意の材料から成形することができる。また、このビーズは、その全て又は一部が同じ色であってもよいし、グループ毎に異なる色であってもよい（図８参照）。また、このビーズの外形は、上下に丸みを付しているが、上下が直線的な円筒形であってもよい。
【００２８】
コード３０は、軸線方向に伸縮することがないが、径方向に伸縮して通常では拡径方向に付勢されるコード材料３０Ｍから形成されている。このコード３０は、ビーズ２０の孔２０Ｈの壁に弾性的に係止するように縮径してビーズ２０をコード３０の所定位置に保持するようにし、且つこのコード３０は、ビーズ２０を有しない部分で拡径している。
【００２９】
図１の実施の形態では、コード材料３０Ｍは、図３（Ａ）に示すように、平織布の帯状長尺体をＵ字形又はＣ字形に折り曲げて形成された弾性コード材料３０ＭＴから成っており、コード材料３０Ｍは、長尺体が帯状に戻ろうとする広がり方向の付勢力によって帯の両端縁間の開口が開閉するように径方向に伸縮して弾性が付与されている。この弾性材料３０ＭＴは、平織布の帯ほかに、形状記憶合金の帯であってもよい。
【００３０】
次に、図１の打数記録ツールの使用方法を説明すると、このツール１０は、その懸吊具４０でプレイヤーのベルト等に懸吊して携帯される。各ホールでプレーをスタートとする前に、前のホールでのカウントをクリアするために、全てのビーズ２０を図１（Ａ）（Ｂ）のコード３０の上端側（懸吊具４０側）に寄せておく。次に、当該ホールのプレーの１打毎に、最下端にあるビーズ２０を、図１（Ａ）の矢印Ａで示すように、抜け止め具５０に向けて手で移動する。既に述べたように、コード３０は、その径方向の弾性によって各ビーズ２０の孔２０Ｈの壁に係止してコード２０とビーズ３０との間で摩擦抵抗を有し、従って各ビーズ２０は、コード３０に位置保持され、且つ、コード３０のビーズ２０を有しない部分での拡径によってコード３０がビーズ２０にストッパーとして作用してプレイヤーがクラブを振る等の動作でツール１０に振動が付与されても、打数の記録用のビーズ２０が変位することがない。また、１打毎に、ビーズ２０を移動する操作は、ビーズ２０がコード３０を強制的に縮径しながら円滑に行うことができる。
【００３１】
このようにして、当該ホールでホールアウトした際に、抜け止め具５０側のビーズ２０の個数から当該ホールの打数を記録し、確認することができる。当該ホールで「ＯＢ」「池への打ち込み」で打ち直すごとに２つのビーズを抜け止め具５０側に移動して打数を記録することができる。
【００３２】
なお、上記の使用方法では、すべてのビーズ２０を懸吊具４０側に寄せておいて、一打毎に抜け止め具５０側に移動して打数を記録するので、ツール１０を懸吊具４０を介して、例えば、プレーヤーのベルトに懸吊している場合、ビーズ２０を指下に引っ張るだけでビーズを記録する側（抜け止め具５０側）に偏倚することができる。しかし、これとは逆に、ビーズ２０をすべて抜け止め具５０側に寄せておいて、一打毎に、懸吊具４０側に寄せて打数を記録することもできる。但し、この場合には、ビーズ２０がコード３０に沿って変位する際、抜け止め具５０側のコード端部を保持する必要があって記録操作が面倒となるので、好ましくは、下向きに変位して打数を記録するのが好ましい。
【００３３】
本発明の変形例が図２に示されており、この変形例では、コード３０は、図３（Ｂ）に示すように、モノフィラメント中空繊維の束の弾性コード材料３０ＭＦから成っている。この変形例でも、コード３０は、コード材料３０ＭＦの中空繊維束の弾性によってビーズ２０をコード３０上に位置保持することができ、またビーズ２０の移動時にはビーズ２０の孔２０Ｈの壁によって縮径されながらビーズ２０の移動を円滑に行うことができる。
【００３４】
コード３０は、図１、図２の形態の他に、図３（Ｃ）に示すように、ゴム、プラスチックの如き中空パイプの弾性コード材料３０ＭＲから形成してもよいし、図３（Ｄ）に示すように、ゴム製、プラスチック製のＳ字形のコード弾性材料３０ＭＳから形成してもよいし、図３（Ｅ）に示すように、ゴム製、プラスチック製の切欠き中空パイプのコード弾性材料３０ＭＰから形成してもよい。また、コード３０は、径方向に縮径できる弾性を有すれば、図３（Ａ）乃至（Ｅ）の形態以外の任意の形態とすることができる。
【００３５】
図１又は図２の実施の形態の打数記録ツール１０は、懸吊具４０及び抜け止め具５０に代えて、図７に示すように、コード３０の両端をゴルフ用グローブの如き球技用手袋６０の甲部に取り付けて手袋６０に保持される形態とすることができる。この場合、コード３０の両端は、グローブの甲部面に縫い付け、貼り付け等が可能な適宜の取付け具６２を有するのが好ましい。
【００３６】
本発明の他の実施の形態が図４及び図５に示されており、これらの実施の形態では、打数記録ツール１０は、複数のツールユニット１０Ｕ１乃至１０Ｕ３（図４）又は１０Ｕ１乃至１０Ｕ３（図５）から成っている。
【００３７】
図４の実施の形態では、複数のツールユニット１０Ｕ１乃至１０Ｕ４は、横方向に延びるホルダー７０に並列して相互に間隔をあけて懸吊されている。このホルダー７０は、中央に懸吊部７０Ｓを有し、その右側にツールユニット１０Ｕ１、１０Ｕ２のコード３０の上端リング状懸吊具４０がカラー７０Ｒを介して間隔をあけて嵌め込まれており、同様にして左側にツールユニット１０Ｕ３、１０Ｕ４のコード３０の上端リング状懸吊具４０がカラー７０Ｌを介して間隔をあけて嵌め込まれている。ツールユニット１０Ｕ２と１０Ｕ３とは、懸吊部７０Ｓによって間隔をあけられている。図４において、符号７０Ｃは、ホルダー７０の両端に取付けられてツールユニット１０Ｕを抜け止めする抜け止め具である。
【００３８】
各ツールユニット１０Ｕのコード３０は、図１及び図２のツールと同様に、軸線方向に伸縮することがないが、径方向に伸縮して通常では拡径方向に付勢されるコード材料３０Ｍから形成されており、コード３０は、ビーズ２０の孔２０Ｈの壁に弾性的に係止するように縮径してビーズをコード３０上の所定の位置に保持し、またコード３０は、ビーズ２０を有しない部分で拡径している。
【００３９】
図５の実施の形態では、複数のツールユニット１０Ｕ１乃至１０Ｕ３は、共通のコード３０を有し、これらのツールユニット１０Ｕ１乃至１０Ｕ３は、固定スペーサ８０Ｕ、８０Ｍ、８０Ｌを介して相互に縦方向に連続している。
【００４０】
図４の実施の形態では、各ツールユニット１０Ｕ１乃至１０Ｕ４は、右から第１のストローク、第２のストローク、パター及びＯＢの打数を記録するのに使用され、それぞれのコード３０の懸吊具４０に「ＳＴ」、「ＰＴ」、「ＯＢ」と表示されており、グリーンに至るまでの打数は、「ＳＴ」のビーズの移動(変位)で表示し、グリーン上での打数は、「ＰＴ」のビーズの移動(変位)で表示し、ＯＢがあった時には、「ＯＢ」のビーズの移動(変位)で打数を表示する。その他の使用方法は、クリア状態ではビーズ２０が上方に寄せられることを除いて図１及び図２の実施の形態と同じである。一例として、図４（Ｂ）は、グリーンに達するまでは４打でＯＢが１つ(２打)、パター３打の合計９打であることを示している。
【００４１】
図５の実施の形態でも、グリーンに達するまでは、「ＳＴ」と表示された固定スペーサ８０Ｕに向けてビーズ２０を１打毎に移動し(変位し)、グリーン上では「ＰＴ」と表示された固定スペーサ８０Ｍに向けてパターの１打毎にビーズ２０を移動し(変位し)、ＯＢがあった時は、「ＯＢ」と表示された固定スペーサ８０Ｌに向けて２つのビーズ２０を移動する(変位する)。図５（Ｂ）は、グリーンに達するまでは４打で、ＯＢが１つで２打、グリーン上ではパターが３打の合計９打であることを示している。
【００４２】
また、図５の実施の形態の打数記録ツール１０は、懸吊具４０及び抜け止め具５０に代えて、図６に示すように、コード３０は、その両端に磁気的又は機械的に相互に結合することができる結合具９０Ｌ、９０Ｒを含んでいてこの結合具９０Ｌ、９０Ｒによってコード３０をリング状にすることができる。このようにすると、ツール１０は、手首や首にかけてブレスレット、ネックレスとして使用することができる。もちろん、図１及び図２に示すように、１つのツールユニットのみを有するツールも、図６に示すように、リング状にして使用することができるが、この場合、首にかけるコード部分は、ビーズ２０の移動の範囲外であって打数の記録には関係がなく、単に首掛け機能を有するに過ぎない。
【００４３】
本発明の更に他の実施の形態が図８に示されており、この実施の形態では、長いコード３０とこのコード３０が貫通する多数のビーズ２０とから成り、コード３０の両端を磁気的又は機械的な適宜の結合具９０Ｌ、９０Ｒによって環状に結合することができ、また多数のビーズ２０は、複数、例えば、５つのビーズ毎に色分けされたた複数のビーズ群２０Ｇから成っている。例えば、図示のように、５つのビーズ２０毎に、「赤」「白」「青」「黄」に着色されている。このようにすると、ホールアウト後の打数の計算が容易となる。
【００４４】
図８（Ａ）では、一打毎にビーズ２０を結合具９０Ｒ側に時計方向に移動し（図８（Ａ）ではビーズ２０が移動していないが、一打毎に、矢印Ａで示すようにビーズを移動する。）、７打でホールアウトしたとすると、７つ目のビーズ２０Ｓと次のビーズ２０Ｎとの間のコード３０部分にクリップ１００Ａを挟み込んで、このクリップ１００Ａより時計方向の下流にあるビーズ２０の数が最初のホールの打数となる。
【００４５】
この実施の形態では、クリップ１００Ａによって前のホールの打数が記録に残り、次のホールに進むに際してクリップ１００Ａより反時計方向の位置にあるビーズ２０が次のホールの打数を記録する役割を有するので、図１、図２の実施の形態のように、ビーズ２０をいずれかの側に戻すように移動してビーズをクリアする必要がなく、使用性が向上する。
【００４６】
図８（Ｂ）は、図８（Ａ）に示す最初のホールが７打であることを表示するビーズ２０を纏めてクリップ１００Ａとともに結合具９０Ｒに寄せて、次のホールの打数を記録する例を示している。この第２ホールでの打数が５打であるとすると、この５打目に相応するビーズ２０とそれより反時計方向側にある隣のビーズ２０との間のコード部分に第２のクリップ１００Ｂを挟み込み、第１のクリップ１００Ａを外し、第２のホールの打数に相応するビーズ２０を第２のクリップ１００Ｂとともに第１のホールの最後のビーズ２０Ｅに隣接するように第２のホールの５打に相応する５つのビーズ２０を結合具９０Ｒ側に時計方向に移動する。
【００４７】
図８（Ｃ）は、その結果を示し、第２ホールを終えて打数が１２であることが示されている。以後、順次、同様の操作を繰り返して、第９番目のホールをホールアウトした後、ビーズの合計から合計打数が解る。なお、図８（Ｃ）では、第１のクリップ１００Ａを引き抜いたが、第１のクリップ１００Ａを挟み込んだまま、第２ホールの打数に相応するビーズ２０の上流側に第２のクリップ１００Ｂを挟み込んで、以後、同様に操作してもよい。各ホールに相応するすべてのクリップを挟み込んだままとすると、すべてのプレー又はハーフのプレーが終了した後、スコアカードに各ホール毎の打数を書き込むことができる
【００４８】
なお、上記実施の形態では、打数記録ツールは、ゴルフの打数を記録する場合を例にして述べたが、テニスその他の球技にも同様にして適用することができる
【産業上の利用可能性】
【００４９】
本発明によれば、打数を表示するビーズは、コードの弾性を利用してコードに係止されて位置保持され、且つ、前記コードは、前記ビーズを有しない部分で拡径しているので、このツールを携帯しているプレイヤーの体の回転などによってツールに強い揺れが付与されてもビーズがコードに沿って変位することがなく、球技の打数を確実に記録して確認することができ、またビーズの孔にコードを縮径しながら貫通するだけで組み立てることができるので、組み立て作業が容易で打数記録ツールを安価に提供することができ、高い産業上の利用性を有する。
【符号の説明】
【００５０】
１０  打数記録ツール
１０Ｕ１乃至１０Ｕ４  ツールユニット
２０  ビーズ
２０Ｈ  孔
３０  コード
３０Ｍ  コード材料
３０ＭＴ、３０ＭＦ、３０ＭＲ、３０ＭＳ、３０ＭＰ  コード材料
３０ＭＣ  切欠き
４０  懸吊具
５０  抜け止め具
６０  手袋
６２  取付け具
７０  ホルダー
７０Ｓ  懸吊部
７０Ｒ、７０Ｌ  カラー
７０Ｃ  抜け止め具
８０Ｕ、８０Ｍ、８０Ｌ  固定スペーサ
９０Ｒ、９０Ｌ  結合具
１００Ａ、１００Ｂ  クリップ
【国際調査報告】
2017098761.tif 000012
2017098761.tif 000013
2017098761.tif 000014
2017098761.tif 000015